(57)【要約】      （修正有）【課題】受信信号に重畳される雑音の影響を抑制する受信装置、等化処理プログラム及び信号受信方法を提供する。【解決手段】受信装置は、受信信号系列に対して等化処理を施して復調対象系列を出力する等化処理回路において、受信信号の伝送路の伝搬係数を示す第１の補償係数をプリアンブル系列に基づき生成する第１の伝送路推定処理と、第１の補償係数に基づき歪みが補償された第１の等化器補償出力系列に含まれるヘッダー系列に対して復調処理及び変調処理を施して生成される受信ヘッダーレプリカ系列から第２の補償係数を生成する第２の伝送路推定処理と、第１の補償係数と前記第２の補償係数とを合成して第３の補償係数を生成する第３の伝送路推定処理と、第３の補償係数に基づき受信信号系列に含まれるペイロード系列に対する歪み補償処理を行う伝搬路補償処理と、を行う。【選択図】図９
2019115015.tif 000002
【特許請求の範囲】
【請求項１】
受信信号から生成された受信信号系列に対して等化処理を施して復調対象系列を出力する等化処理回路と、
前記復調対象系列を復調して受信データ系列を出力する復調処理回路と、
前記受信データ系列を変調して送信信号系列を生成する変調処理回路と、を有し、
前記受信信号系列は、予め値が定められたプリアンブル系列と、ランダムデータ系列と前記ランダムデータ系列の誤り訂正に用いられる誤り符号とを含むヘッダー系列と、送信装置が受信装置に伝達するデータが含まれるペイロード系列と、を有し、
前記等化処理回路は、
前記受信信号の伝送路の伝搬係数を示す第１の補償係数を前記プリアンブル系列に基づき生成する第１の伝送路推定処理と、
前記第１の補償係数に基づき歪みが補償された第１の等化器補償出力系列に含まれる前記ヘッダー系列に対して復調処理及び変調処理を施して生成されるヘッダーレプリカ系列から第２の補償係数を生成する第２の伝送路推定処理と、
前記第１の補償係数と前記第２の補償係数とを合成して第３の補償係数を生成する第３の伝送路推定処理と、
前記第３の補償係数に基づき前記受信信号系列に含まれる前記ペイロード系列に対する歪み補償処理を行う伝搬路補償処理と、を行う受信装置。
【請求項２】
前記ヘッダーレプリカ系列は、前記復調処理回路における復調処理において誤りがないと判定されたヘッダー系列に基づき生成される請求項１に記載の受信装置。
【請求項３】
前記等化処理回路は、
前記ペイロード系列を一時的に保持する第１の遅延バッファと、
前記受信信号系列に対して前記歪み補償処理を施して等化器補償出力系列を出力する等化器と、
前記等化器補償出力系列の位相回転を補償して前記復調対象系列を出力するトラッキング処理回路と、
前記等化器補償出力系列に対して適用される前記位相回転の大きさを示す位相量情報を一時的に保持する第２の遅延バッファと、
前記ヘッダー系列を一時的に保持する第３の遅延バッファと、
前記ヘッダー系列に対して前記位相量情報を適用して、前記ヘッダー系列の位相回転を補償した位相補償済みヘッダー系列を生成する第１の位相補償回路と、
前記第１の伝送路推定処理から前記第３の伝送路推定処理までの間前記受信信号系列を前記等化器に与え、前記伝搬路補償処理においては前記第１の遅延バッファに格納された前記ペイロード系列を前記等化器に与える入力選択回路と、
を有する請求項１に記載の受信装置。
【請求項４】
前記等化器は、前記プリアンブル系列を示すプリアンブル情報を格納するプリアンブルレジスタと、
前記第１の伝送路推定処理において前記プリアンブル系列を選択し、前記第２の伝送路推定処理において前記位相補償済みヘッダー系列を選択して出力する第１の選択回路と、
前記第１の伝送路推定処理において前記プリアンブル情報を選択し、前記第２の伝送路推定処理において前記変調処理回路から出力される前記送信信号系列に含まれる前記ヘッダーレプリカ系列を選択して出力する第２の選択回路と、
前記第１の伝送路推定処理において前記プリアンブル系列と前記プリアンブル情報とに基づき前記第１の補償係数を生成し、第２の伝送路推定処理において前記位相補償済みヘッダー系列と前記ヘッダーレプリカ系列とに基づき前記第２の補償係数を生成する伝搬路特性路推定回路と、
前記第１の補償係数を保持する第１の係数保持回路と、
前記第２の補償係数を保持する第２の係数保持回路と、
前記第１の補償係数と前記第２の補償係数とを合成して第３の補償係数を生成する合成回路と、
前記第３の補償係数を保持する第３の係数保持回路と、
前記第３の補償係数が生成されるまでの期間は前記第１の補償係数を選択し、第３の補償係数が生成された後は前記第３の補償係数を選択して出力する第３の選択回路と、
前記第３の選択回路が出力する補償係数の逆数を算出する逆数算出回路と、
前記逆数算出回路が出力する補償係数の逆数を用いて受信信号系列に歪み補償処理を施して前記等化器補償出力系列を出力する伝搬路補償回路と、
を有する請求項３に記載の受信装置。
【請求項５】
前記合成回路は、
前記第１の補償係数と、前記第２の補償係数と、予め与えられた動作パラメータと、に基づき前記受信信号のフェージング強度を判定するフェージング強度判定回路と、
前記フェージング強度判定回路において、フェージング強度が予め設定された閾値よりも小さいと判定された場合に前記第１の補償係数と前記第２の補償係数の平均値を前記第３の補償係数として算出する単純合成回路と、
前記フェージング強度判定回路において、フェージング強度が予め設定された閾値以上であると判定された場合に前記第１の補償係数と前記第２の補償係数とに対して所定の重み付けを行い、重み付けされた各補償係数の重み付け平均値を前記第３の補償係数として算出する重み付け合成回路と、
前記フェージング強度判定回路で判定されたフェージング強度に基づき生成された前記第３の補償係数を前記単純合成回路の出力と前記重み付け合成回路の出力とから選択して前記第３の係数保持回路に出力する係数選択回路と、
を有する請求項４に記載の受信装置。
【請求項６】
前記トラッキング処理回路は、前記ヘッダー系列の遅延回転量の基準となるパイロット信号情報を格納するパイロットレジスタを有する請求項３に記載の受信装置。
【請求項７】
前記トラッキング処理回路は、
前記パイロット信号情報と前記等化器補償出力系列中のヘッダー系列とを比較して位相回転量を推定し、位相回転の大きさを示す前記位相量情報を生成する位相推定回路と、
前記位相量情報に基づき前記等化器補償出力系列の位相回転を補償し、補償後の信号を前記復調対象系列として出力する第２の位相補償回路と、
を有する請求項６に記載の受信装置。
【請求項８】
前記等化処理回路は、
前記ペイロード系列を一時的に保持する第１の遅延バッファと、
前記受信信号系列に対して前記歪み補償処理を施して等化器補償出力系列を出力する等化器と、
前記等化器補償出力系列の位相回転を補償して前記復調対象系列を出力するトラッキング処理回路と、
前記復調対象系列を一時的に保持する第２の遅延バッファと、
前記復調対象系列のうち前記ヘッダー系列に相当する部分に対して前記第１の補償係数を適用して、前記ヘッダー系列の位相回転をキャンセルした位相補償済みヘッダー系列を生成する等化器補償キャンセル回路と、
前記第１の伝送路推定処理から前記第３の伝送路推定処理までの間前記受信信号系列を前記等化器に与え、前記伝搬路補償処理においては前記第１の遅延バッファに格納された前記ペイロード系列を前記等化器に与える入力選択回路と、
を有する請求項１に記載の受信装置。
【請求項９】
前記第１の伝送路推定処理の後、前記第３の伝送路推定処理の前、の期間は、
前記復調処理回路は、前記ヘッダー系列を含む前記復調対象系列を復調して、復調後のヘッダー系列を前記変調処理回路に出力し、
前記変調処理回路は、受信した復調後のヘッダー系列に対して変調処理を施して前記ヘッダーレプリカ系列を出力する請求項１に記載の受信装置。
【請求項１０】
前記第３の伝送路推定処理以降の期間は、
前記復調処理回路は、前記復調対象系列を復調して生成する前記受信データ系列を後段の信号処理回路に出力し、
前記変調処理回路は、前記信号処理回路から出力される送信データ系列を変調して前記送信信号系列を生成し、生成した前記送信信号系列を後段に設けられる送信処理回路に出力する請求項１に記載の受信装置。
【請求項１１】
前記送信処理回路は、
前記送信信号系列に対して逆フーリエ変換処理を施す逆フーリエ変換回路と、
前記逆フーリエ変換処理が施された送信信号系列に対してガードインターバルを付加するガードインターバル付加回路と、
を有する請求項１０に記載の受信装置。
【請求項１２】
アンテナで受信する無線信号から生成される前記受信信号から前記受信データ系列を生成する受信装置と、
送信データ系列から前記アンテナを介して出力される無線信号となる送信信号を生成する送信装置と、を有し、
前記変調処理回路は、前記受信装置と前記送信装置とにおいて共通して用いられる請求項１に記載の受信装置。
【請求項１３】
受信信号から生成された受信信号系列に対して等化処理を施して復調対象系列を出力する等化処理回路と、
前記復調対象系列を復調して受信データ系列を出力する復調処理回路と、
前記受信データ系列を変調して送信信号系列を生成する変調処理回路と、を有する受信装置において、前記等化処理回路で実行される等化処理プログラムであって、
前記等化処理回路は、
前記受信信号の伝送路の伝搬係数を示す第１の補償係数を、前記受信信号系列に含まれ予め値が定められたプリアンブル系列に基づき生成する第１の伝送路推定処理と、
前記受信信号系列に含まれるヘッダー系列に対して前記第１の補償係数を適用して歪みが補償された第１の等化器補償出力系列を生成する第１の伝搬路補償処理と、
前記第１の等化器補償出力系列に含まれる前記ヘッダー系列に対して復調処理及び変調処理を施して生成されるヘッダーレプリカ系列から第２の補償係数を生成する第２の伝送路推定処理と、
前記第１の補償係数と前記第２の補償係数とを合成して第３の補償係数を生成する第３の伝送路推定処理と、
前記第３の補償係数に基づき前記受信信号系列に含まれるペイロード系列に対する歪み補償処理を行う第２の伝搬路補償処理と、を行う等化処理プログラム。
【請求項１４】
前記ヘッダー系列は、ランダムデータ系列と前記ランダムデータ系列の誤り訂正に用いられる誤り符号とを含む請求項１３に記載の等化処理プログラム。
【請求項１５】
前記等化処理回路は、第１の遅延バッファ、第２の遅延バッファ、及び、第３の遅延バッファを有し、
前記受信信号系列に対して前記歪み補償処理を施して等化器補償出力系列を出力する等化処理と、
前記等化器補償出力系列の位相回転を補償して前記復調対象系列を出力するトラッキング処理と、
前記等化器補償出力系列に対して適用される前記位相回転の大きさを示す位相量情報を一時的に前記第２の遅延バッファに保持する位相量情報保持処理と、
前記ヘッダー系列を一時的に前記第３の遅延バッファに保持するヘッダー系列保持処理と、
前記ヘッダー系列に対して前記位相量情報を適用して、前記ヘッダー系列の位相回転を補償した位相補償済みヘッダー系列を生成する第１の位相補償処理と、
前記ペイロード系列を一時的に前記第１の遅延バッファに保持するペイロード保持処理と、
前記第１の伝送路推定処理から前記第３の伝送路推定処理までの間前記受信信号系列を前記等化処理の対象として選択し、前記第２の伝搬路補償処理においては前記第１の遅延バッファに格納された前記ペイロード系列を前記等化処理の対象として選択する入力選択処理と、
を実行する請求項１３に記載の等化処理プログラム。
【請求項１６】
前記トラッキング処理では、
前記ヘッダー系列の位相回転量の基準となるパイロット信号情報と前記等化器補償出力系列中のヘッダー系列とを比較して位相回転量を推定し、位相回転の大きさを示す前記位相量情報を生成する位相推定処理と、
前記位相量情報に基づき前記等化器補償出力系列の位相回転を補償し、補償後の信号を前記復調対象系列として出力する第２の位相補償処理と、
を行う請求項１５に記載の等化処理プログラム。
【請求項１７】
前記第３の伝送路推定処理では、
前記第１の補償係数と、前記第２の補償係数と、予め与えられた動作パラメータと、に基づき前記受信信号のフェージング強度を判定するフェージング強度判定処理と、
前記フェージング強度判定処理において、フェージング強度が予め設定された閾値よりも小さいと判定された場合に前記第１の補償係数と前記第２の補償係数の平均値を前記第３の補償係数として算出する単純合成処理と、
前記フェージング強度判定処理において、フェージング強度が予め設定された閾値以上であると判定された場合に前記第１の補償係数と前記第２の補償係数とに対して所定の重み付けを行い、重み付けされた各補償係数の重み付け平均値を前記第３の補償係数として算出する重み付け合成処理と、
前記フェージング強度判定処理で判定されたフェージング強度に基づき生成された前記第３の補償係数を前記単純合成処理の演算結果と前記重み付け合成処理の演算結果とから選択する係数選択処理と、
を行う請求項１３に記載の等化処理プログラム。
【請求項１８】
前記等化処理回路は、第１の遅延バッファと、第２の遅延バッファとを有し、
前記受信信号系列に対して前記歪み補償処理を施して等化器補償出力系列を出力する等化処理と、
前記等化器補償出力系列の位相回転を補償して前記復調対象系列を出力するトラッキング処理と、
前記復調対象系列を一時的に前記第２の遅延バッファに保持する復調対象系列保持処理と、
前記復調対象系列のうち前記ヘッダー系列に相当する部分に対して前記第１の補償係数を適用して、前記ヘッダー系列の位相回転をキャンセルした位相補償済みヘッダー系列を生成する等化器補償キャンセル処理と、
前記ペイロード系列を一時的に前記第１の遅延バッファに保持するペイロード保持処理と、
前記第１の伝送路推定処理から前記第３の伝送路推定処理までの間前記受信信号系列を前記等化処理の対象として選択し、前記第２の伝搬路補償処理においては前記第１の遅延バッファに格納された前記ペイロード系列を前記等化処理の対象として選択する入力選択処理と、
を実行する請求項１３に記載の等化処理プログラム。
【請求項１９】
受信信号から生成された受信信号系列に対して等化処理を施して復調対象系列を出力する等化処理回路と、
前記復調対象系列を復調して受信データ系列を出力する復調処理回路と、
前記受信データ系列を変調して送信信号系列を生成する変調処理回路と、を有する受信装置の信号受信方法であって、
前記等化処理回路において、
前記受信信号の伝送路の伝搬係数を示す第１の補償係数を、前記受信信号系列に含まれ予め値が定められたプリアンブル系列に基づき生成する第１の伝送路推定処理と、
前記受信信号系列に含まれるヘッダー系列に対して前記第１の補償係数を適用して歪みが補償された第１の等化器補償出力系列を生成する第１の伝搬路補償処理と、
前記第１の等化器補償出力系列に含まれる前記ヘッダー系列に対して復調処理及び変調処理を施して生成されるヘッダーレプリカ系列から第２の補償係数を生成する第２の伝送路推定処理と、
前記第１の補償係数と前記第２の補償係数とを合成して第３の補償係数を生成する第３の伝送路推定処理と、
前記第３の補償係数に基づき前記受信信号系列に含まれるペイロード系列に対する歪み補償処理を行う第２の伝搬路補償処理と、を行う受信装置の信号受信方法。
【発明の詳細な説明】
【技術分野】
【０００１】
本発明は受信装置、等化処理プログラム及び信号受信方法に関し、例えば受信信号に対して伝搬路で生じた歪み補償及びノイズの低減処理を行う等化処理を施す受信装置、等化処理プログラム及び信号受信方法に関する。
【背景技術】
【０００２】
近年、携帯電話、スマートメータ等が接続される無線通信システムでは、通信規格上で３の伝送速度が向上している。しかしながら、電波干渉、マルチパス等の伝送路の状況に起因して信号伝送路の特性が悪化し、実際の利用状態での伝送速度向上の妨げとなっている。また、伝送路には熱・その他の無線信号等の雑音が存在するため、その雑音に起因して信号品質が劣化し、この信号品質の劣化が伝送速度の向上の妨げとなっている。そこで、特許文献１に伝送路で生じた信号歪みを補償する技術が開示されている。
【０００３】
特許文献１に記載の受信装置は、既知信号と、データ信号と、を所定の変調方式により変調して得られる送信信号が伝送された結果を受信して、これを受信信号として出力する受信部と、伝送路特性を推定する推定部と、前記受信信号の前記データ信号に相当する部分であって未だ補償されていない部分を、前記伝送路特性の既に推定されている部分により、補償して、これを補償済データ信号として出力する補償部と、前記補償済データ信号を復調して、これを復調済データ信号として出力する復調部と、前記復調済データ信号を当該所定の変調方式により変調して、これを変調済データ信号として出力する変調部と、を有する。
【先行技術文献】
【特許文献】
【０００４】
【特許文献１】特許第３７９４６２２号明細書
【発明の概要】
【発明が解決しようとする課題】
【０００５】
しかしながら、特許文献１に記載の受信装置では、未だ補償されていない部分を、前記伝送路特性の既に推定されている部分により、補償して、これを補償済データ信号として出力する。つまり、特許文献１に記載の受信装置では、伝送路の伝送路特性の変化に追従することを目的とするものであり、伝搬路の伝送路特性以外の熱雑音等を軽減することが出来ない問題がある。
【０００６】
その他の課題と新規な特徴は、本明細書の記述および添付図面から明らかになるであろう。
【課題を解決するための手段】
【０００７】
一実施の形態によれば、受信装置は、受信信号系列に対して等化処理を施して復調対象系列を出力する等化処理回路において、受信信号の伝送路の伝搬係数を示す第１の補償係数をプリアンブル系列に基づき生成する第１の伝送路推定処理と、第１の補償係数に基づき歪みが補償された第１の等化器補償出力系列に含まれるヘッダー系列に対して復調処理及び変調処理を施して生成される受信ヘッダーレプリカ系列から第２の補償係数を生成する第２の伝送路推定処理と、第１の補償係数と前記第２の補償係数とを合成して第３の補償係数を生成する第３の伝送路推定処理と、第３の補償係数に基づき受信信号系列に含まれるペイロード系列に対する歪み補償処理を行う伝搬路補償処理と、を行う。
【発明の効果】
【０００８】
一実施の形態によれば、受信装置は、受信信号に対する高いノイズ削減効果をそうすることができる。
【図面の簡単な説明】
【０００９】
【図１】実施の形態１にかかる受信装置が用いられる通信システムの概要を説明する図である。
【図２】実施の形態１にかかる送受信装置のブロック図である。
【図３】実施の形態１にかかる等化処理回路のブロック図である。
【図４】実施の形態１にかかる等化器のブロック図である。
【図５】実施の形態１にかかるトラッキング処理回路のブロック図である。
【図６】実施の形態１にかかる位相補償回路のブロック図である。
【図７】実施の形態１にかかる復調処理回路及び変調処理回路のブロック図である。
【図８】実施の形態１にかかる等化器の動作を示すタイミングチャートである。
【図９】実施の形態１にかかる等化処理回路の動作を示すタイミングチャートである。
【図１０】実施の形態１にかかる等化処理回路の処理フローを説明する図である。
【図１１】実施の形態１にかかる送受信装置におけるヘッダーレプリカ系列の生成手順を説明するフローチャートである。
【図１２】実施の形態１にかかる受信装置の雑音特性のグラフである。
【図１３】実施の形態２にかかる等化処理回路のブロック図である。
【図１４】実施の形態２にかかる等化器のブロック図である。
【図１５】実施の形態２にかかるトラッキング処理回路のブロック図である。
【図１６】実施の形態２にかかる等化器補償キャンセル回路のブロック図である。
【図１７】実施の形態２にかかる等化器の動作を示すタイミングチャートである。
【図１８】実施の形態２にかかる等化処理回路の動作を示すタイミングチャートである。
【図１９】実施の形態２にかかる等化処理回路の処理フローを示す図である。
【図２０】実施の形態３にかかる等化器内の合成回路のブロック図である。
【図２１】実施の形態４にかかる通信システムを説明する図である。
【発明を実施するための形態】
【００１０】
説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００１１】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１２】
まず、実施の形態において説明する受信装置が適用される通信システムについて説明する。そこで、図１に実施の形態１にかかる受信装置が用いられる通信システムの概要を説明する図を示す。図１では、上図に伝送路におけるノイズを説明する図を示し、中図に受信装置の簡単なブロック図を示し、下図に受信信号のフレームフォーマットを説明する図を示した。
【００１３】
図１の上図に示すように、実施の形態で説明する受信装置は、送信装置から出力される送信信号ＴＸを受信信号ＲＸとして受け取る。このとき、送信装置と受信装置の間の伝送路は、伝搬路特性Ｈを有する。また、伝送路中には、熱雑音等の雑音Ｎが存在する。そのため、送信信号ＴＸと受信信号ＲＸとは、（１）式に示す関係を有する。
ＲＸ＝ＴＸ×Ｈ＋Ｎ  ・・・（１）
【００１４】
また、図１の中図に示す様に、受信装置は、ＲＦ回路、ＦＦＴ（fast Fourier transform）回路、等化器、復調・復号回路を有する。ＲＦ回路は、受信信号の周波数を無線周波数帯からベースバンド周波数帯に落とす。ＦＦＴ回路は、受信信号を時間領域から周波数領域の信号へと変換して、受信信号系列を生成する。等化器は、受信信号系列から伝搬路特性Ｈに起因して生じる歪みを除去・補正する。この歪みの除去及び補正を補償と称する。復調・復号回路は、等化器で補償された受信信号系列に対して復調処理及び復号処理を施して受信データを出力する。
【００１５】
また、図１に示す通信システムでは、受信信号は所定のデータ領域が含まれるフレーム毎に送受信され、このフレームのデータフォーマット（以下、フレームフォーマットと称す）が通信規格上きまっている。そこで、図１の下図に示した受信信号のフレームフォーマットの一例では、１つのフレームに、プリアンブル系列、ヘッダー系列、ペイロード系列が含まれる。これらのデータ系列のうち、送受信される有効なデータ領域はヘッダー系列とペイロード系列である。一方、プリアンブル系列は、規格上予め系列に含まれるデータの値が既知な既知信号系列である。なお、ヘッダー系列には、ランダムな値となるランダムデータとこのランダムデータの誤り検出符号（ＣＲＣ：Cyclic Redundancy Check）が含まれる。また、ペイロード系列には、実質的なデータとなるランダムデータが含まれる。
【００１６】
ここで、等化器における補償処理について簡単に説明する。等化器では、既知信号系列であるプリアンブル系列を用いて伝搬路特性Ｈを推定して、伝搬路特性Ｈに起因する信号歪みを補償する。例えば、周波数領域に変換された受信信号系列に含まれるプリアンブル系列をＲＸｐｒｅ、送信装置から送信された送信信号ＴＸの周波数領域（逆フーリエ変換前の送信信号ＴＸ）のプリアンブル系列をＴＸｐｒｅとした場合、伝搬路特性Ｈは、（２）式により推定される。
Ｈ＝ＲＸｐｒｅ／ＴＸｐｒｅ  ・・・  （２）
【００１７】
ここで、ＴＸｐｒｅは既知であるため、等化器は、受信信号系列から得たＲＸｐｒｅに予め保持しているＴＸｐｒｅを適用して、伝搬路特性Ｈを推定する。そして、受信信号系列を、推定した伝搬路特性Ｈで除することで受信信号ＲＸに含まれる伝搬路特性Ｈに起因する歪みを補償する。雑音Ｎがなければ、この伝搬路特性Ｈは、精度良く求めることができる。しかしながら、実際には雑音Ｎに起因して、伝搬路特性Ｈの推定精度が低下する。
【００１８】
そこで、伝搬路特性Ｈの精度低下について説明する。プリアンブル系列の送信信号と受信信号との関係は、（３）式となる。
ＲＸｐｒｅ＝ＴＸｐｒｅ×Ｈ＋Ｎ  ・・・  （３）
【００１９】
そして、（３）式を（２）式に代入すると、実際に推定される伝搬路特性Ｈ’は（４）式で表される。
Ｈ’＝（ＴＸｐｒｅ×Ｈ＋Ｎ）／ＴＸｐｒｅ
＝Ｈ＋Ｎ／ＴＸｐｒｅ                ・・・  （４）
【００２０】
ここで、ＴＸｐｒｅは、一定の大きさのため、伝搬路特性Ｈの推定誤差（Ｎ／Ｔｘｐｒｅ）の大きさは雑音Ｎの大きさに依存する。しかしながら、雑音Ｎは、ガウス分布（平均０、分散σ）となることが知られている。また、プリアンブル系列には、同じデータ系列のシンボルが複数回繰り返されている。そのため、等化器は、シンボル毎に推定した伝搬特性Ｈ’を同相加算（加算平均）により合成することで、雑音Ｎを圧縮する。
【００２１】
しかしながら、近年、データの転送効率を向上させるために、プリアンブル系列に含まれるシンボル数が減少している傾向がある。例えば、無線通信規格の１つであるＩＥＥＥ８０２．１１ａｈでは、プリアンブル系列に含まれるシンボルは２回と非常に少なくなっている。
【００２２】
以下の実施の形態で説明する受信装置では、プリアンブル系列の含まれるシンボル数以上の雑音Ｎの圧縮を実現する構成を有する。そこで、以下で実施の形態にかかる受信装置について詳細に説明する。
【００２３】
実施の形態１
実施の形態１にかかる送受信装置１のブロック図を図２に示す。図２に示すように、実施の形態１にかかる送受信装置１は、送信装置２、受信装置３、ＲＦ回路１０を有する。また、図２では、送受信装置１が送受信するデータを処理する信号処理回路１００を示した。送信装置２は、信号処理回路１００が出力する送信データＳ１０６に対して様々な処理を施して送信信号Ｓ１０９を出力する。ＲＦ回路１０は、送信信号Ｓ１０９の周波数をベースバンド周波数帯から無線周波数帯に変換し、アンテナＡＮＴを介して送信信号ＴＸを出力する。また、ＲＦ回路１０は、アンテナＡＮＴにより受信した受信信号ＲＸの周波数を無線周波数帯からベースバンド周波数帯に変化して、受信信号Ｓ１０１を出力する。受信装置３は、受信信号Ｓ１０１に対して様々な処理を施して受信データＳ１０５を生成して信号処理回路１００に出力する。送信装置２及び受信装置３について、以下で更に詳細に説明する。
【００２４】
送信装置２は、変調処理回路１５、ＩＦＦＴ回路１６、ＧＩ付加回路１７を有する。変調処理回路１５は、送信データＳ１０６に変調処理を施して送信信号系列Ｓ１０７を生成する。変調処理回路１５が行う変調処理には符号化処理が含まれるものとする。符号化された後のデータにＩＦＦＴ回路１６は、送信信号系列Ｓ１０７に対して逆フーリエ変換処理を施して、送信信号系列Ｓ１０７を周波数領域から時間領域の信号（例えば、ＧＩ付加前送信信号Ｓ１０８）に変換する。ＧＩ付加回路１７は、ＧＩ付加前送信信号Ｓ１０８にガードインターバル成分を付加して送信信号Ｓ１０９を出力する。ここで、送信装置２の変調処理回路１５は、受信装置３と共用される。変調処理回路１５は、受信装置３の一部として用いられる時は、受信データＳ１０５に対して符号化処理及び変調処理を施して送信信号系列Ｓ１０７を出力する。
【００２５】
受信装置３は、ＧＩ除去回路１１、ＦＦＴ回路１２、等化処理回路１３、復調処理回路１４、変調処理回路１５を有する。ＧＩ除去回路１１は、受信信号Ｓ１０１に含まれるガードインターバル成分を除去してＧＩ除去済み受信信号Ｓ１０２を出力する。ＦＦＴ回路１２は、ＧＩ除去済み受信信号Ｓ１０２にフーリエ変換処理を施して、ＧＩ除去済み受信信号Ｓ１０２を時間領域から周波数領域の信号（例えば、受信信号系列Ｓ１０３）に変換する。等化処理回路１３は、受信信号系列Ｓ１０３に対して等化処理を施して復調対象系列Ｓ１０４を出力する。ここで、等化処理回路１３は、等化処理において変調処理回路１５が受信データＳ１０５から生成した送信信号系列Ｓ１０７を用いる。復調処理回路１４は、復調対象系列Ｓ１０４に対して復調処理を施して受信データＳ１０５を生成し、受信データＳ１０５を信号処理回路１００に出力する。なお、復調処理回路１４が行う復調処理には復号処理が含まれるものとする。
【００２６】
ここで、実施の形態１にかかる通信システムでは、受信信号系列は、例えば、図１の下図に示したようなフレームフォーマットを有する。つまり、実施の形態１にかかる受信信号系列は、予め値が定められたプリアンブル系列と、ランダムデータ系列とランダムデータ系列の誤り訂正に用いられる誤り符号とを含むヘッダー系列と、送信装置が受信装置に伝達するデータが含まれるペイロード系列と、を有するものとする。また、等化処理回路１３は、第１の伝搬路推定処理、第２の伝搬路推定処理、第３の伝搬路推定処理及び伝搬路補償処理を行う。第１の伝搬路推定処理では、受信信号ＲＸの伝送路の伝搬係数を示す第１の補償係数Ｈ１をプリアンブル系列に基づき生成する。第２の伝搬路推定処理では、第１の補償係数Ｈ１に基づき歪みが補償された第１の等化器補償出力系列に含まれるヘッダー系列に対して復調処理及び変調処理を施して生成されるヘッダーレプリカ系列から第２の補償係数Ｈ２を生成する。第３の伝搬路推定処理では、第１の補償係数Ｈ１と第２の補償係数Ｈ２とを合成して第３の補償係数Ｈ３を生成する。伝搬路補償処理では、第３の補償係数Ｈ３に基づき受信信号系列に含まれるペイロード系列に対する歪み補償処理を行う。
【００２７】
また、実施の形態１にかかる受信装置３では、第２の伝搬路推定処理で用いるヘッダーレプリカ系列は、復調処理回路１４における復調処理において誤りがないと判定されたヘッダー系列に基づき生成される。このヘッダーレプリカ系列の生成処理についての詳細は後述する。
【００２８】
なお、図２では、送受信装置１に含まれるブロックとして全体制御部１８を示した。全体制御部１８は、送信装置２及び受信装置３の選択信号、イネーブル信号、スイッチ、動作タイミング等を制御するものである。図２では、例示として、復調処理回路１４の動作結果を受けて等化処理回路１３の動作を切り替える経路のみを示した。
【００２９】
ここで、送受信装置１では、受信装置３及び受信装置３内の等化処理回路１３の構成及び動作に特徴の１つを有する。そこで、以下では、受信装置３について詳細に説明する。まず、図３に実施の形態１にかかる受信装置３のブロック図を示した。なお、図３では、等化処理回路１３が出力する復調対象系列Ｓ１０４と等化処理回路１３に入力される送信信号系列Ｓ１０７との関係がわかるように復調処理回路１４及び変調処理回路１５を示した。
【００３０】
図３に示すように、等化処理回路１３は、第１の遅延バッファ２１、入力選択回路２２、等化器２３、トラッキング処理回路２４、第２の遅延バッファ２５、第３の遅延バッファ２６、第１の位相補償回路（例えば、位相補償回路２７）を有する。
【００３１】
第１の遅延バッファ２１は、受信信号系列Ｓ１０３に含まれる信号系列のうちペイロード系列を一時的に保持する。入力選択回路２２は、第１の伝送路推定処理から第３の伝送路推定処理までの間、受信信号系列Ｓ１０３を等化器２３に与え、伝搬路補償処理においては第１の遅延バッファに格納されたペイロード系列Ｓ２０１を等化器２３に与える。図３では、入力選択回路２２が出力する信号系列を等化処理対象系列Ｓ２０２と現した。等化器２３は、受信信号系列Ｓ１０３（ペイロード系列Ｓ２０１を含む）に対して歪み補償処理を施して等化器補償出力系列Ｓ２０３を出力する。
【００３２】
トラッキング処理回路２４は、等化器補償出力系列Ｓ２０３の位相回転を補償して復調対象系列Ｓ１０４を出力する。また、トラッキング処理回路２４は、等化器補償出力系列Ｓ２０３に対して適用される位相補償の大きさを示す位相量情報Ｓ２０４を第２の遅延バッファ２５に出力する。第２の遅延バッファ２５は、位相量情報Ｓ２０４を一時的に保持する。第３の遅延バッファ２６は、受信信号系列Ｓ１０３に含まれるヘッダー系列Ｓ２０５を一時的に保持する。位相補償回路２７は、ヘッダー系列Ｓ２０５に対して位相量情報Ｓ２０６を適用して、ヘッダー系列Ｓ１０６の位相回転を補償した位相補償済みヘッダー系列Ｓ２０７を生成する。
【００３３】
そして、等化処理回路１３では、等化器２３が受信信号系列Ｓ１０３、送信信号系列Ｓ１０７に含まれるヘッダーレプリカ系列、及び、ヘッダー系列Ｓ２０７を用いて第３の補償係数Ｈ３を生成する。また、等化処理回路１３は、生成した第３の補償係数Ｈ３を用いて等化処理対象系列Ｓ２０２に含まれるペイロード系列Ｓ２０１に対する等化器補償処理を行う。そこで、図４に実施の形態１にかかる等化器２３のブロック図を示す。
【００３４】
図４に示すように、等化器２３は、プリアンブルレジスタ３０、第１の選択回路３１ａ、第２の選択回路３１ｂ、伝搬路特性推定回路３２、第１の係数保持回路３３、第２の係数保持回路３４、合成回路３５、第３の係数保持回路３６、第３の選択回路３７、逆数算出回路３８、伝搬路補償回路３９を有する。
【００３５】
プリアンブルレジスタ３０は、プリアンブル系列を示すプリアンブル情報を格納する。このプリアンブル情報は、伝搬路特性推定処理が開始される前に全体制御部１８等からプリアンブルレジスタ３０に格納される。また、プリアンブル情報は、例えば、通信規格毎に異なる値となる。
【００３６】
第１の選択回路３１ａは、第１の伝送路推定処理においてプリアンブル系列Ｓ１０３を選択し、第２の伝送路推定処理において位相補償済みヘッダー系列Ｓ２０７を選択して出力する。第１の選択回路３１ａがいずれの系列を選択して出力するかは、全体制御部１８から与えられる選択信号ｓｅｌ１により切り替えられる。第２の選択回路３１ｂは、第１の伝送路推定処理においてプリアンブルレジスタ３０に格納されたプリアンブル情報を選択し、第２の伝送路推定処理において変調処理回路１５から出力される送信信号系列Ｓ１０７に含まれるヘッダーレプリカ系列（以下、ヘッダーレプリカ系列についてもＳ１０７を用いる）を選択して出力する。第２の選択回路３１ｂがいずれの系列を選択して出力するかは、全体制御部１８から与えられる選択信号ｓｅｌ２により切り替えられる。
【００３７】
伝搬路特性推定回路３２は、第１の伝送路推定処理において第１の選択回路３１ａが出力するプリアンブル系列と第２の選択回路３１ｂが出力するプリアンブル情報とに基づき第１の補償係数Ｈ１を生成する。また、伝搬路特性推定回路３２は、第２の伝送路推定処理において第１の選択回路３１ａが出力する位相補償済みヘッダー系列Ｓ２０７と第２の選択回路３１ｂが出力するヘッダーレプリカ系列Ｓ１０７とに基づき第２の補償係数Ｈ２を生成する。伝搬路特性推定回路３２は、ポートａに入力される第１の選択回路３１ａの出力値を、ポートｂに入力される第２の選択回路３１ｂで除することで補償係数を算出する。
【００３８】
第１の係数保持回路３３は、イネーブル信号ｅｎ１がイネーブル状態である時に入力された値を記憶し、イネーブル信号ｅｎ１がディスイネーブル状態である時はその前に記憶した値を保持する。第１の係数保持回路３３は、第１の補償係数Ｈ１を保持するようにイネーブル信号ｅｎ１により制御される。第２の係数保持回路３４は、イネーブル信号ｅｎ２がイネーブル状態である時に入力された値を記憶し、イネーブル信号ｅｎ２がディスイネーブル状態である時はその前に記憶した値を保持する。第２の係数保持回路３４は、第２の補償係数Ｈ２を保持するようにイネーブル信号ｅｎ２により制御される。
【００３９】
合成回路３５は、第１の補償係数Ｈ１と第２の補償係数Ｈ２とを合成して第３の補償係数Ｈ３を生成する。合成回路３５は、例えば、２つの補償係数の平均値、或いは、重み付け平均値を第３の補償係数Ｈ３として出力する。第３の係数保持回路３６は、イネーブル信号ｅｎ３がイネーブル状態である時に入力された値を記憶し、イネーブル信号ｅｎ３がディスイネーブル状態である時はその前に記憶した値を保持する。第３の係数保持回路３６は、第３の補償係数Ｈ３を保持するようにイネーブル信号ｅｎ３により制御される。
【００４０】
第３の選択回路３７は、イネーブル信号ｅｎ３に基づき出力する補償係数を切り替える。第３の選択回路３７は、第３の補償係数Ｈ３が生成されるまでの期間は第１の補償係数Ｈ１を選択し、第３の補償係数Ｈ３が生成された後は第３の補償係数Ｈ３を選択して出力する。
【００４１】
逆数算出回路３８は、第３の選択回路３７が出力する補償係数の逆数を算出する。伝搬路補償回路３９は、逆数算出回路３８が出力する補償係数の逆数を用いて受信信号系列に歪み補償処理を施して等化器補償出力系列Ｓ２０３を出力する。
【００４２】
続いて、トラッキング処理回路２４について詳細に説明する。そこで、図５に実施の形態１にかかるトラッキング処理回路２４のブロック図を示す。図５に示すように、トラッキング処理回路２４は、パイロット信号情報保持部４１、位相推定回路４２、第２の位相補償回路（例えば、位相補償回路４３）を有する。
【００４３】
パイロット信号情報保持部４１は、ヘッダー系列の遅延量の基準となるパイロット信号情報を格納するパイロットレジスタである。このパイロット信号情報は、例えば、全体制御部１８等が位相推定回路４２による位相推定処理を行う前に通信規格に合わせてパイロット信号情報保持部４１に格納される。
【００４４】
位相推定回路４２は、パイロット信号情報と等化器補償出力系列Ｓ２０３中のヘッダー系列とを比較して位相量を推定し、位相回転の大きさを示す位相量情報Ｓ２０４を生成する。位相補償回路４３は、位相量情報Ｓ２０４に基づき等化器補償出力系列Ｓ２０３の位相を補償し、補償後の信号を復調対象系列Ｓ１０４として出力する。
【００４５】
続いて、位相補償回路２７について詳細に説明する。そこで、図６に実施の形態１にかかる位相補償回路２７のブロック図を示す。図６に示すように、位相補償回路２７は、複素乗算器５１を有する。複素乗算器５１は、第３の遅延バッファ２６に格納されている遅延ヘッダー系列Ｓ２０５と、第２の遅延バッファ２５に格納されている位相量情報Ｓ２０６とを複素乗算することで、遅延ヘッダー系列Ｓ２０５の位相回転を補償し、ヘッダー系列Ｓ２０７（位相補償済みヘッダー系列）を出力する。
【００４６】
続いて、復調処理回路１４及び変調処理回路１５について詳細に説明する。そこで、図７に実施の形態１にかかる復調処理回路及び変調処理回路のブロック図を示す。なお、図７に示した復調処理回路１４及び変調処理回路１５は、一例であり、通信規格により構成が変化することがある。
【００４７】
図７に示したように、復調処理回路１４は、コンスタレーションデマッピング処理回路６１、インタリーブ解除回路６２、ビタビ復号処理回路６３、スクランブル解除回路６４
【００４８】
ＣＲＣ照合処理回路６５、ヘッダー解析回路６６を有する。復調処理回路１４では、コンスタレーションデマッピング処理回路６１、インタリーブ解除回路６２、ビタビ復号処理回路６３、スクランブル解除回路６４、ＣＲＣ照合処理回路６５の順で処理を行うことで復調・復号処理が行われる。また、ヘッダー解析回路６６は復調対象系列Ｓ１０４としてヘッダー系列が入力された場合に、ヘッダー系列が示す情報の意味を解析してペイロード系列を後段回路のいずれに出力するか等のペイロード系列に対する処理を決定する。
【００４９】
変調処理回路１５は、ヘッダーフレーム生成回路７１、ＣＲＣ生成回路７２、スクランブル設定回路７３、畳み込み符号化回路７４、インタリーブ処理回路７５、コンスタレーションマッピング処理回路７６を有する。変調処理回路１５は、ヘッダーフレーム生成回路７１がヘッダーフレームを生成してペイロード系列に付加する。そしてＣＲＣ生成回路７２がヘッダーフレームに格納されたランダムデータのＣＲＣを生成し、ヘッダーフレーム内に格納する。その後、変調処理回路１５は、スクランブル設定回路７３、畳み込み符号化回路７４、インタリーブ処理回路７５、コンスタレーションマッピング処理回路７６の順に処理を行うことで送信信号系列Ｓ１０７を出力する。
【００５０】
続いて、実施の形態１にかかる受信装置３の動作について説明する。実施の形態１にかかる受信装置３では、等化器２３の動作に特徴の１つがある。そこで、図８に実施の形態１にかかる等化器２３の動作を示すタイミングチャートを示す。
【００５１】
図８に示すように、等化器２３は、プリアンブル系列が入力されている期間（図８の伝搬路推定（Ｈ１）の期間）に第１の伝搬路推定処理を行う。第１の伝搬路推定処理では、全体制御部１８が選択信号ｓｅｌ１〜ｓｅｌ３をロウレベルとし、等化器２３が受信信号系列Ｓ１０３に含まれるプリアンブル系列とプリアンブルレジスタ３０に格納されたプリアンブル情報とに基づき第１の補償係数Ｈ１を生成する。このとき、イネーブル信号ｅｎ１をイネーブル状態（例えば、ハイレベル）とすることで、第１の補償係数Ｈ１が生成された後は第１の係数保持回路３３が第１の補償係数Ｈ１を出力する。またこの期間は、選択信号ｓｅｌ３がロウレベルであるため、第１の係数保持回路３３に格納されている第１の補償係数Ｈ１が伝搬路補償回路３９に伝えられる。
【００５２】
次いで、ヘッダー系列が入力されている期間は、第１の伝搬路推定処理にて求められた第１の補償係数Ｈ１に基づきヘッダー系列に対する伝搬路補償が行われる。また、この期間に第１の補償係数Ｈ１により補償された等化器補償出力系列に対して復調処理が行われる。ヘッダー系列が全て入力された後、受信装置３では、復調されたヘッダー系列に対する変調処理が行われ、この変調処理によりヘッダーレプリカ系列Ｓ１０７が生成される。また、ヘッダーレプリカ系列Ｓ１０７が生成されるタイミングで、位相補償済みヘッダー系列Ｓ２０７が、位相補償回路２７により生成される。そして、ヘッダーレプリカ系列Ｓ１０７及び位相補償済みヘッダー系列Ｓ２０７を用いて第２の補償係数Ｈ２を生成する第２の伝搬路推定処理（図８の伝搬路推定（Ｈ２）の期間）が行われる。
【００５３】
第２の伝搬路推定処理では、全体制御部１８が選択信号ｓｅｌ１、ｓｅｌ２をハイレベル、選択信号ｓｅｌ３をロウレベルとし、等化器２３がヘッダー系列Ｓ２０７と送信信号系列Ｓ１０７とに基づき第２の補償係数Ｈ２を生成する。このとき、イネーブル信号ｅｎ２をイネーブル状態（例えば、ハイレベル）とすることで、第２の補償係数Ｈ２が生成された後は第２の係数保持回路３４が第２の補償係数Ｈ２を出力する。またこの期間は、選択信号ｓｅｌ３がロウレベルであるため、第１の係数保持回路３３に格納されている第１の補償係数Ｈ１が伝搬路補償回路３９に伝えられる。
【００５４】
次いで、等化器２３は、第１の補償係数Ｈ１と第２の補償係数Ｈ２とを合成して第３の補償係数Ｈ３を生成する第３の伝搬路推定処理（図８中の合成（Ｈ３）の期間）を行う。この第３の伝搬路推定処理では、全体制御部１８が選択信号ｓｅｌ１〜ｓｅｌ３をハイレベルとし、等化器２３が第１の補償係数Ｈ３と第２の補償係数Ｈ２とを合成して第３の補償係数Ｈ３を生成する。このとき、イネーブル信号ｅｎ３をイネーブル状態（例えば、ハイレベル）とすることで、第３の補償係数Ｈ３が生成された後は第３の係数保持回路３６が第３の補償係数Ｈ３を出力する。またこの期間は、選択信号ｓｅｌ３がハイレベルであるため、第３の係数保持回路３６に格納されている第３の補償係数Ｈ３が伝搬路補償回路３９に伝えられる。その後は、等化器２３は、受信信号系列Ｓ１０３に含まれるペイロード系列を第３の補償係数Ｈ３を用いて補償する伝搬路補償処理（図８の伝搬路補償（Ｈ３）の期間）を行う。なお、第３の補償係数Ｈ３が生成されるまでの間、等化処理回路１３は第１の遅延バッファ２１に受信したペイロード系列を蓄積し、第３の補償係数Ｈ３が生成された時点で蓄積した順にペイロード系列を出力する。
【００５５】
続いて、等化処理回路１３の動作について説明する。そこで、図９に実施の形態１にかかる等化処理回路の動作を示すタイミングチャートを示す。図９に示すように、等化処理回路１３では、プリアンブル系列が入力されると、第１の伝搬路推定処理（図９の伝搬路推定（Ｈ１））により第１の補償係数Ｈ１を生成する。
【００５６】
次いで、ヘッダー系列が入力されると、第３の遅延バッファ２６にヘッダー系列を書き込むと共に、入力されるヘッダー系列に対して第１の補償係数Ｈ１を適用した補償処理を行う（伝搬路補償（Ｈ１））。そして、補償処理が施されたヘッダー系列に対して復調処理と変調処理が施されることでヘッダーレプリカ系列が生成される。また、この復調処理においては、トラッキング処理回路２４により位相量情報Ｓ２０４が生成され、位相量情報Ｓ２０４は第２の遅延バッファ２５に書き込まれる。そして、ヘッダーレプリカ系列が生成されるタイミングで、第３の遅延バッファ２６から遅延ヘッダー系列Ｓ２０５が読み出されると共に第２の遅延バッファ２５から位相量情報Ｓ２０６が読み出され位相補償回路２７がヘッダー系列Ｓ２０７を生成する。
【００５７】
そして、ヘッダー系列Ｓ２０７とヘッダーレプリカ系列とを用いて、等化処理回路１３は、第２の補償係数Ｈ２を生成する第２の伝搬路推定処理（伝搬路推定（Ｈ２））を行う。その後、第１の補償係数Ｈ１と第２の補償係数Ｈ２とを合成して第３の補償係数Ｈ３を生成する第３の伝搬路推定処理（合成（Ｈ３））が行われる。なお、ヘッダー系列に対する変調処理、ヘッダーレプリカ系列の生成処理、ヘッダー系列Ｓ２０７の生成処理、第２の伝搬路推定処理、及び、第３の伝搬路推定処理は、ペイロード系列が入力される期間に行われる。
【００５８】
また、等化処理回路１３では、ペイロード系列が入力される時点においては、第３の補償係数Ｈ３が生成されていない。そこで、等化処理回路１３では、第１の遅延バッファ２１に入力されるペイロード系列を蓄積し、第３の補償係数Ｈ３が生成された時点で、第１の遅延バッファ２１から蓄積した順にペイロード系列を読み出す。そして、読み出したペイロード系列に対して第３の補償係数Ｈ３を適用した伝搬路補償処理を行う。
【００５９】
続いて、図９で説明した動作の流れを別の観点で説明する。そこで、図１０に実施の形態１にかかる等化処理回路の処理フローを説明する図を示す。図１０に示すように、等化処理回路１３は、プリアンブル系列が入力されると、プリアンブル系列を構成するデータ系列を合成して第１の合成値を生成する。そして、第１の合成値とプリアンブル情報とに基づき第１の伝搬路推定処理を行い第１の補償係数Ｈ１を生成する。
【００６０】
次いで、ヘッダー系列が入力されると、当該ヘッダー系列に対して第１の補償係数Ｈ１を適用した伝搬路補償処理を行う。そして、この伝搬路補償処理により生成されたヘッダー系列を用いてヘッダーレプリカ系列を生成する。また、ヘッダーレプリカ系列を生成する中で位相量情報Ｓ２０４が生成される。等化処理回路１３は、この位相量情報Ｓ２０４を用いて入力されるヘッダー系列の位相回転を補償する位相補償処理を行う。また、等化処理回路１３は、位相補償済みヘッダー系列とヘッダーレプリカ系列とを用いて第２の伝搬路推定処理を行う。この第２の伝搬路推定処理では、第２の補償係数Ｈ２はデータ系列の形式であるため、第２の補償係数Ｈ２を合成して合成値となる第２の補償係数Ｈ２を生成する。
【００６１】
次いで、等化処理回路１３は、第１の補償係数Ｈ１と第２の補償係数Ｈ２とを合成して第３の補償係数Ｈ３を生成する。そして、第３の補償係数Ｈ３を用いてペイロード系列に対する伝搬路補償処理を行う。このような処理を経て、実施の形態１にかかる半導体装置１では、第３の伝送路推定処理以降の期間は、復調処理回路１４が、復調対象系列Ｓ２０４を復調して生成する受信データ系列Ｓ１０５を後段の信号処理回路１００に出力し、変調処理回路１５が、信号処理回路１００から出力される送信データ系列Ｓ１０６を変調して送信信号系列Ｓ１０７を生成し、生成した送信信号系列Ｓ１０７を後段に設けられる送信処理回路に出力する。
【００６２】
ここで、実施の形態３にかかる受信装置３では、ヘッダーレプリカ系列の生成方法に特徴の１つを有する。具体的には、実施の形態３にかかる受信装置３では、第１の伝送路推定処理の後、第３の伝送路推定処理の前、の期間は、復調処理回路は、ヘッダー系列を含む前記復調対象系列を復調して、復調後のヘッダー系列を変調処理回路に出力し、変調処理回路は、受信した復調後のヘッダー系列に対して変調処理を施してヘッダーレプリカ系列を出力する。そこで、ヘッダーレプリカ系列の生成方法について説明する。図１１に実施の形態１にかかる送受信装置におけるヘッダーレプリカ系列の生成手順を説明するフローチャートを示す。
【００６３】
図１１に示すように、実施の形態１にかかる受信装置３では、ヘッダー系列に対して復調処理及び復号処理を施す。この復号処理において、ヘッダー系列に誤りが検出された場合、実施の形態１にかかる受信装置３では、誤りが含まれるヘッダー系列はヘッダーレプリカ系列の生成対象から外す。一方、復号処理において、ヘッダー系列に誤りが検出されなかった場合、実施の形態１にかかる受信装置３は、そのヘッダー系列に対して復号化処理及び変調処理を施してヘッダーレプリカ系列を生成する。
【００６４】
つまり、実施の形態１にかかる受信装置３では、ヘッダーレプリカ系列は誤りの無いヘッダー系列からのみ生成されるため、第２の補償係数Ｈ２に誤り成分（雑音）が含まれず高い精度の伝搬路特性を推定することができる。
【００６５】
上記説明より、実施の形態１にかかる受信装置３は、プリアンブル系列から推定される第１の補償係数Ｈ１に加えて、ヘッダー系列から推定される第２の補償係数Ｈ２を算出し、第１の補償係数Ｈ１と第２の補償係数Ｈ２とを合成してペイロード系列に適用する第３の補償係数Ｈ３を生成する。これにより、実施の形態１にかかる受信装置３は、加算平均される補償係数の数をプリアンブル系列に含まれるシンボル数よりも増やすことが出来るため、高い雑音圧縮効果を得ることができる。
【００６６】
また、実施の形態１にかかる受信装置３は、第２の補償係数Ｈ２の推定に用いるヘッダーレプリカ系列を復号処理において誤りを含まないヘッダー系列から生成する。これにより、第２の補償係数Ｈ２の推定精度がヘッダー系列に含まれる雑音の影響を受けて悪化することがなくなる。つまり、実施の形態１にかかる受信装置３は、高精度な第２の補償係数Ｈ１が増えることになり、より圧縮効果を高めることができる。なお、特許文献１に記載の受信装置では、レプリカに誤り成分（雑音）が含まれている場合であっても、当該レプリカを伝送路特性の推定で用いるため伝送路特性の推定値の精度が悪く、誤り成分（雑音）の多い環境では雑音圧縮効果が著しく悪化する問題がある。
【００６７】
ここで、実施の形態３にかかる受信装置３の雑音特性について説明する。図１２に実施の形態１にかかる受信装置３の雑音特性のグラフを示す。図１２のグラフは、横軸に搬送波対雑音電力比（ＣＮＲ：Carrier to noise ratio）をとり、縦軸にパケット誤り率（PER：Packet Error Rate）をとったものである。また、図１２では、比較例として、プリアンブル系列のみを用いて補償係数を算出する受信装置の雑音特性を示した。図１２を参照するとパケット誤り率が１０％となるところを見ると実施の形態１にかかる受信装置３は、比較例にかかる受信装置に比べて１ｄＢ以上の改善が見られる。図１２のグラフの横軸を参照すると分かるが、１ｄＢの改善は大きなものであり、実施の形態１にかかる受信装置３による雑音圧縮効果が非常に大きなものであることが分かる。
【００６８】
このように補償係数への雑音の影響を低減することで無線信号の到達距離が長くすることができる。近年、無線信号を用いる機器が増加しており、少ない基地局で多くのエリアをカバーすることが重要になってきている。特に、スマートメータ等の非移動局は基地局との間の伝送路が固定的であり、実施の形態１にかかる受信装置３を用いることで、基地局からより離れた位置に設置された場合であっても通信可能になる。
【００６９】
なお、等化処理回路１３の処理は、プログラムによっても実現することが出来る。この場合、等化処理回路１３をプログラムを実行可能な演算処理部により構成し、等化処理回路１３内の遅延バッファ、保持回路等の値を保持する回路として、レジスタ、メモリ等を用いる。この場合、実施の形態１にかかる送受信装置１は、受信信号から生成された受信信号系列Ｓ１０３に対して等化処理を施して復調対象系列Ｓ１０４を出力する等化処理回路１３と、復調対象系列Ｓ１０４を復調して受信データ系列Ｓ１０５を出力する復調処理回路１４と、受信データ系列Ｓ１０５を変調して送信信号系列Ｓ１０７を生成する変調処理回路１５と、を有する。そして、等化処理回路１３において等化処理プログラムを実行する。等化処理プログラムを実行する等化処理回路は、受信信号の伝送路の伝搬係数を示す第１の補償係数Ｈ１を、受信信号系列Ｓ１０３に含まれ予め値が定められたプリアンブル系列に基づき生成する第１の伝送路推定処理と、受信信号系列Ｓ１０３に含まれるヘッダー系列に対して第１の補償係数Ｈ１を適用して歪みが補償された第１の等化器補償出力系列Ｓ２０３を生成する第１の伝搬路補償処理と、第１の等化器補償出力系列Ｓ２０３に含まれるヘッダー系列に対して復調処理及び変調処理を施して生成されるヘッダーレプリカ系列Ｓ１０７から第２の補償係数Ｈ２を生成する第２の伝送路推定処理と、第１の補償係数Ｈ１と第２の補償係数Ｈ２とを合成して第３の補償係数Ｈ３を生成する第３の伝送路推定処理と、第３の補償係数Ｈ３に基づき受信信号系列Ｓ１０３に含まれるペイロード系列に対する歪み補償処理を行う第２の伝搬路補償処理と、を行う。
【００７０】
また、等化処理回路１３は、第１の遅延バッファ２１、第２の遅延バッファ２５、及び、第３の遅延バッファ２６を有する。そして、等化処理回路１３は、受信信号系列Ｓ２０１に対して歪み補償処理を施して等化器補償出力系列Ｓ２０３を出力する等化処理と、等化器補償出力系列Ｓ２０３の位相回転を補償して復調対象系列Ｓ１０４を出力するトラッキング処理と、等化器補償出力系列Ｓ２００３に対して適用される位相回転の大きさを示す位相量情報Ｓ２０４を一時的に第２の遅延バッファ２５に保持する位相量情報保持処理と、ヘッダー系列を一時的に第３の遅延バッファ２６に保持するヘッダー系列保持処理と、ヘッダー系列に対して位相量情報Ｓ２０６を適用して、ヘッダー系列の位相回転を補償した位相補償済みヘッダー系列Ｓ２０７を生成する第１の位相補償処理と、ペイロード系列を一時的に第１の遅延バッファ２１に保持するペイロード保持処理と、第１の伝送路推定処理から第３の伝送路推定処理までの間受信信号系列Ｓ１０３を等化処理の対象として選択し、第２の伝搬路補償処理においては第１の遅延バッファ２１に格納されたペイロード系列Ｓ２０１を等化処理の対象として選択する入力選択処理と、を実行する。
【００７１】
また、トラッキング処理では、ヘッダー系列の位相回転量の基準となるパイロット信号情報と等化器補償出力系列Ｓ０２３中のヘッダー系列とを比較して位相回転量を推定し、位相回転の大きさを示す位相量情報を生成する位相推定処理と、位相量情報に基づき等化器補償出力系列Ｓ２０３の位相回転を補償し、補償後の信号を復調対象系列として出力する第２の位相補償処理と、を行う。
【００７２】
実施の形態２
実施の形態２では、実施の形態１の等化処理回路１３の別の例となる等化処理回路１３ａについて説明する。なお、実施の形態２の説明において実施の形態１で説明した構成要素と同じ構成要素については実施の形態１と同じ符号を付して説明を省略する。
【００７３】
図１３に実施の形態２にかかる等化処理回路のブロック図を示す。図１３に示すように、実施の形態２にかかる等化処理回路１３ａは、等化処理回路１３から第３の遅延バッファ２６及び位相補償回路２７を削除し、等化器２３及びトラッキング処理回路２４を等化器８１及びトラッキング処理回路８２に置き換え、等化器補償キャンセル回路８３を追加したものである。また、実施の形態２にかかる等化処理回路１３ａでは、第２の遅延バッファ２５にトラッキング処理回路８２が出力する復調対象系列Ｓ１０４に含まれるヘッダー系列が格納される。
【００７４】
つまり、実施の形態２にかかる等化処理回路１３ａは、第１の遅延バッファ２１、入力選択回路２２、等化器８１、トラッキング処理回路８２、第２の遅延バッファ２５、等化器補償キャンセル回路８３を有する。そして、第１の遅延バッファ２１は、ペイロード系列を一時的に保持する。等化器８１は、受信信号系列Ｓ１０３に対して歪み補償処理を施して等化器補償出力系列Ｓ２０３を出力する。また、等化器８１は、第１の係数信号Ｓ３０１として第１の補償係数Ｈ１を出力する。トラッキング処理回路８２は、等化器補償出力系列Ｓ２０３の位相回転を補償して復調対象系列Ｓ１０４を出力する。第２の遅延バッファ２５は、復調対象系列を一時的に保持する。等化器補償キャンセル回路８３は、復調対象系列Ｓ１０４のうちヘッダー系列に相当する部分に対して第１の補償係数Ｈ１を適用して、ヘッダー系列の等化器補償効果をキャンセルした位相回転補償済みヘッダー系列Ｓ３０２を生成する。入力選択回路２２は、第１の伝送路推定処理から第３の伝送路推定処理までの間受信信号系列Ｓ１０３を等化器に与え、伝搬路補償処理においては第１の遅延バッファ２１に格納されたペイロード系列を等化器に与える。
【００７５】
ここで、等化器８１について詳細に説明する。図１４に実施の形態２にかかる等化器８１のブロック図を示す。図１４に示すように、等化器８１は、実施の形態１にかかる等化器２３に第１の補償係数Ｈ１を出力する経路を追加したものである。等化器８１は、第１の補償係数Ｈ１を第１の係数信号Ｓ３０１として出力する。また、等化器８１では、実施の形態１の等化器２３のヘッダー系列Ｓ２０７に換えて、ヘッダー系列Ｓ３０２が入力される。ヘッダー系列Ｓ３０２は、等化器補償キャンセル回路８３において等化器補償効果がキャンセルされたものである。
【００７６】
続いて、トラッキング処理回路８２の詳細について説明する。図１５に実施の形態２にかかるトラッキング処理回路８２のブロック図を示す。図１５に示すように、トラッキング処理回路８２は、実施の形態１のトラッキング処理回路２４から位相量情報Ｓ２０４を出力する経路を削除したものである。
【００７７】
続いて、等化器補償キャンセル回路８３の詳細について説明する。図１６に実施の形態２にかかる等化器補償キャンセル回路８３のブロック図を示す。図１６に示すように、等化器補償キャンセル回路８３は、複素乗算器５１を有する。そして、複素乗算器５１には、第２の遅延バッファ２５により遅延された復調対象系列Ｓ１０４と、第１の係数信号Ｓ３０１として与えられる第１の補償係数Ｈ１と、が入力される。等化器補償キャンセル回路８３の複素乗算器５１は、復調対象系列Ｓ１０４として与えられるヘッダー系列と第１の補償係数Ｈ１とを複素乗算して、復調対象系列Ｓ１０４に施された等化器による補償効果をキャンセルしたヘッダー系列Ｓ３０２（等化器補償キャンセル済み）を出力する。
【００７８】
続いて、実施の形態２にかかる等化器８１の動作について説明する。そこで、図１７に実施の形態２にかかる等化器２３の動作を示すタイミングチャートを示す。ここでの説明では、実施の形態１にかかる等化器２３の動作との違いについて説明する。図１７に示すように、実施の形態２にかかる等化器８１では、位相補償済みヘッダー系列Ｓ２０７を生成する代わりに等化器補償キャンセル済みヘッダー系列Ｓ３０２を生成する。
【００７９】
ここで、位相補償済みヘッダー系列Ｓ２０７と等化器補償キャンセル済みヘッダー系列Ｓ３０２との関係について説明する。まず、位相補償済みヘッダー系列Ｓ２０７は、等化処理回路１３に入力されたヘッダー系列Ｓ２０５に位相回転をしたものである。一方、等化器補償キャンセル済みヘッダー系列Ｓ３０２は、等化器８１で第１の補償係数Ｈ１による等化器補償がなされた後にトラッキング処理回路８２により位相回転補償がなされた後に、先の第１の補償係数Ｈ１による等化器補償がキャンセルされたものである。つまり、等化器補償キャンセル済みヘッダー系列Ｓ３０２に適用される効果はトラッキング処理回路８２による位相回転の補償のみであり、位相補償済みヘッダー系列Ｓ２０７と等化器補償キャンセル済みヘッダー系列Ｓ３０２とは実質的に同じ信号となる。
【００８０】
続いて、実施の形態２にかかる等化器８１の動作について説明する。そこで、図１７に実施の形態２にかかる等化処理回路１３ａの動作を示すタイミングチャートを示す。ここでの説明では、実施の形態１にかかる等化処理回路１３の動作との違いについて説明する。図１８に示すように、実施の形態２にかかる等化処理回路１３ａでは、位相補償済みヘッダー系列Ｓ２０７を生成する代わりに等化器補償キャンセル済みヘッダー系列Ｓ３０２を生成する。また、この等化器補償キャンセル済みヘッダー系列Ｓ３０２の生成処理では、第１の補償係数Ｈ１に基づき補償処理が施されたヘッダー系列に対して位相回転補償をし、位相回転補償されたヘッダー系列（図１８中のトラッキング出力）を第２の遅延バッファ２５に書き込む。そして、第２の遅延バッファ２５に保持されたヘッダー系列を用いて等化器補償キャンセル済みヘッダー系列Ｓ３０２が生成される。
【００８１】
続いて、図１８で説明した動作の流れを別の観点で説明する。そこで、図１９に実施の形態１にかかる等化処理回路１３ａの処理フローを説明する図を示す。図１９に示すように、等化処理回路１３ａでは、位相補償済みヘッダー系列Ｓ２０７を生成する代わりに等化器補償キャンセル済みヘッダー系列Ｓ３０２を生成する。
【００８２】
上記説明より、実施の形態２にかかる等化処理回路１３ａでは、第２の遅延バッファ２５を用いることなく位相補償済みヘッダー系列Ｓ２０７と同等な特性を有する等化器補償キャンセル済みヘッダー系列Ｓ３０２を生成する。これにより、実施の形態２にかかる等化処理回路１３ａは、実施の形態１にかかる送受信装置１よりも少ない回路素子数により、実施の形態１にかかる等化処理回路１３を含む受信装置と同じ雑音圧縮効果を得ることができる。
【００８３】
また、実施の形態２にかかる等化処理回路１３ａの処理は、プログラムによっても実現することが出来る。この場合、等化処理回路１３ａをプログラムを実行可能な演算処理部により構成し、等化処理回路１３ａ内の遅延バッファ、保持回路等の値を保持する回路として、レジスタ、メモリ等を用いる。この場合、実施の形態２にかかる等化処理回路１３ａは、第１の遅延バッファ２１と、第２の遅延バッファ２５とを有する。そして、等化処理回路１３ａは、受信信号系列Ｓ２０２に対して歪み補償処理を施して等化器補償出力系列Ｓ２０３を出力する等化処理と、等化器補償出力系列Ｓ２０３の位相回転を補償して復調対象系列Ｓ１０４を出力するトラッキング処理と、復調対象系列Ｓ１０４を一時的に第２の遅延バッファ２５に保持する復調対象系列保持処理と、復調対象系列Ｓ１０４のうちヘッダー系列に相当する部分に対して第１の補償係数Ｈ１を適用して、ヘッダー系列の位相回転をキャンセルした位相補償済みヘッダー系列を生成する等化器補償キャンセル処理と、ペイロード系列を一時的に第１の遅延バッファ２１に保持するペイロード保持処理と、第１の伝送路推定処理から第３の伝送路推定処理までの間受信信号系列Ｓ１０３を等化処理の対象として選択し、第２の伝搬路補償処理においては第１の遅延バッファに格納されたペイロード系列Ｓ２０１を等化処理の対象として選択する入力選択処理と、を実行する。
【００８４】
実施の形態３
実施の形態３では、等化器２３或いは等化器８１に含まれる合成回路３５について説明する。そこで、図２０に実施の形態３にかかる等化器内の合成回路３５のブロック図を示す。図２０に示すように、合成回路３５は、フェージング強度判定回路９１、単純合成回路９２、重み付け合成回路９３、係数選択回路９４を有する。
【００８５】
フェージング強度判定回路９１は、第１の補償係数Ｈ１と、第２の補償係数Ｈ２と、予め与えられた動作パラメータと、に基づき受信信号ＲＸのフェージング強度を判定する。そして、フェージング強度判定回路９１は、フェージング強度が予め設定された閾値よりも小さいと判定された場合にはイネーブル信号ｅｎ４をイネーブル状態として、単純合成回路９２により第１の補償係数Ｈ１と第２の補償係数Ｈ２とを合成して第３の補償係数Ｈ３を生成し、係数選択回路９４に単純合成回路９２が生成した第３の補償係数Ｈ３を選択させる。また、フェージング強度判定回路９１は、フェージング強度が予め設定された閾値以上であると判定された場合にはイネーブル信号ｅｎ５をイネーブル状態として、重み付け合成回路９３により第１の補償係数Ｈ１と第２の補償係数Ｈ２とを合成して第３の補償係数Ｈ３を生成し、係数選択回路９４に重み付け合成回路９３が生成した第３の補償係数Ｈ３を選択させる。
【００８６】
単純合成回路９２は、第１の補償係数Ｈ１と第２の補償係数Ｈ２の平均値を第３の補償係数として算出する。単純合成回路９２が算出する第３の補償係数Ｈ３は、（５）式によって表される。
Ｈ３＝（Ｈ１＋Ｈ２）／２  ・・・  （５）
【００８７】
重み付け合成回路９３は、第１の補償係数Ｈ１と第２の補償係数Ｈ２とに対して所定の重み付けを行い、重み付けされた各補償係数の重み付け平均値を第３の補償係数Ｈ３として算出する。第１の補償係数Ｈ１に適用される重みをｗ１、第２の補償係数Ｈ２に適用される重みをｗ２とすると、重み付け合成回路９３が生成する第３の補償係数Ｈ３は、（６）式によって表される。
Ｈ３＝（ｗ１×Ｈ１＋ｗ２×Ｈ２）／（ｗ１＋ｗ２）  ・・・  （６）
【００８８】
係数選択回路９４は、フェージング強度判定回路９１で判定されたフェージング強度に基づき生成された第３の補償係数Ｈ３を単純合成回路９２の出力と重み付け合成回路９３の出力とから選択して第３の係数保持回路３６に出力する。
【００８９】
上記説明より、実施の形態３にかかる合成回路３５は、フェージング強度に応じて第３の補償係数Ｈ３の合成方法を切り替えることができる。マルチパスフェージング環境では、重み付け合成のほうが良好な合成結果が得られるが、消費電力が大きくなるというトレードオフの関係がある。そのため、合成回路３５のようにマルチパスフェージングの度合いを判定し、フェージングが弱い条件では単純合成とし、フェージングが強い条件では重み付け合成とすることで、特性と消費電力のバランスをとることが可能になる。
【００９０】
また、合成回路３５の動作をプログラムに実行する場合は、等化処理プログラムを実行する等化処理回路１３は、第３の伝送路推定処理では、第１の補償係数Ｈ１と、第２の補償係数Ｈ２と、予め与えられた動作パラメータと、に基づき受信信号のフェージング強度を判定するフェージング強度判定処理と、フェージング強度判定処理において、フェージング強度が予め設定された閾値よりも小さいと判定された場合に第１の補償係数Ｈ１と第２の補償係数Ｈ２の平均値を第３の補償係数Ｈ３として算出する単純合成処理と、フェージング強度判定処理において、フェージング強度が予め設定された閾値以上であると判定された場合に第１の補償係数Ｈ１と第２の補償係数Ｈ２とに対して所定の重み付けを行い、重み付けされた各補償係数の重み付け平均値を前記第３の補償係数として算出する重み付け合成処理と、フェージング強度判定処理で判定されたフェージング強度に基づき生成された第３の補償係数Ｈ３を単純合成処理の演算結果と重み付け合成処理の演算結果とから選択する係数選択処理と、を行う。
【００９１】
実施の形態４
実施の形態４では、実施の形態１から実施の形態３で説明した受信装置が用いられる通信システムの例について説明する。そこで、図２１に実施の形態４にかかる通信システムを説明する図を示した。図２１では、上図に移動体無線通信システムを示し、下図に無線ＬＡＮ等の端末と基地局の位置関係が固定、或いは、ほとんど変わらない準固定な無線システム（以下、単に固定無線システムと称す）を示した。
【００９２】
無線システムでは、基地局と端末との位置関係が大きく変化しない場合、フェージングによる補償係数の制度劣化が小さく、伝搬路特性推定精度にフェージングが及ぼす影響が小さい。一方、基地局と端末との位置関係が大きく変化しない場合、熱雑音が伝搬路特性推定精度に大きく影響する。
【００９３】
そのため、実施の形態１から実施の形態３で説明した受信装置を用いた場合、特に固定通信システムにおいては、熱雑音の影響による推定精度の劣化を防止し、アクセスポイントルータ等の基地局から端末との通信可能距離を大きく延ばすことができる。
【００９４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００９５】
１  送受信装置
２  送信装置
３  受信装置
１０  ＲＦ回路
１１  ＧＩ除去回路
１２  ＦＦＴ回路
１３  等化処理回路
１４  復調処理回路
１５  変調処理回路
１６  ＩＦＦＴ回路
１７  ＧＩ付加回路
１８  全体制御部
２１  第１の遅延バッファ
２２  入力選択回路
２３  等化器
２４  トラッキング処理回路
２５  第２の遅延バッファ
２６  第３の遅延バッファ
２７  位相補償回路
３０  プリアンブルレジスタ
３１ａ  第１の選択回路
３１ｂ  第２の選択回路
３２  伝搬路特性推定回路
３３  第１の係数保持回路
３４  第２の係数保持回路
３５  合成回路
３６  第３の係数保持回路
３７  第３の選択回路
３８  逆数算出回路
３９  伝搬路補償回路
４１  パイロット信号情報保持部
４２  位相推定回路
４３  位相補償回路
５１  複素乗算器
６１  コンスタレーションデマッピング処理回路
６２  インタリーブ解除回路
６３  ビタビ復号処理回路
６４  スクランブル解除回路
６５  ＣＲＣ照合処理回路
６６  ヘッダー解析回路
７１  ヘッダーフレーム生成回路
７２  ＣＲＣ生成回路
７３  スクランブル設定回路
７４  畳み込み符号化回路
７５  インタリーブ処理回路
７６  コンスタレーションマッピング処理回路
８１  等化器
８２  トラッキング処理回路
８３  等化器補償キャンセル回路
９１  フェージング強度判定回路
９２  単純合成回路
９３  重み付け合成回路
９４  係数選択回路
１００  信号処理回路
Ｓ１０１  受信信号
Ｓ１０２  ＧＩ除去済み受信信号
Ｓ１０３  受信信号系列
Ｓ１０４  復調対象系列
Ｓ１０５  受信データ
Ｓ１０６  送信データ
Ｓ１０７  送信信号系列
Ｓ１０８  ＧＩ付加前送信信号
Ｓ１０９  送信信号
Ｓ２０１  ペイロード系列
Ｓ２０２  等化処理対象系列
Ｓ２０３  等化器補償出力系列
Ｓ２０４  位相量情報
Ｓ２０５  遅延ヘッダー系列
Ｓ２０６  位相量情報
Ｓ２０７  ヘッダー系列
Ｓ３０１  第１の係数信号
Ｓ３０２  ヘッダー系列
ｅｎ１〜ｅｎ５  イネーブル信号
ｓｅｌ１〜ｓｅｌ３  選択信号
【図１】
2019115015.tif 000003
【図２】
2019115015.tif 000004
【図３】
2019115015.tif 000005
【図４】
2019115015.tif 000006
【図５】
2019115015.tif 000007
【図６】
2019115015.tif 000008
【図７】
2019115015.tif 000009
【図８】
2019115015.tif 000010
【図９】
2019115015.tif 000011
【図１０】
2019115015.tif 000012
【図１１】
2019115015.tif 000013
【図１２】
2019115015.tif 000014
【図１３】
2019115015.tif 000015
【図１４】
2019115015.tif 000016
【図１５】
2019115015.tif 000017
【図１６】
2019115015.tif 000018
【図１７】
2019115015.tif 000019
【図１８】
2019115015.tif 000020
【図１９】
2019115015.tif 000021
【図２０】
2019115015.tif 000022
【図２１】
2019115015.tif 000023